(57)【要約】      （修正有）【課題】使用者が転倒していることに気が付かない場合でも、起立状態に自動的に復帰することが可能となるキャンドルホルダーを提供する。【解決手段】キャンドルを設置する台座部２０と、台座部２０から上方に延設された壁材３１で構成される収容部３０と、を備えたキャンドルホルダー１０である。台座部２０及び壁材３１の外側面は、載置面と接触する底面２０ｂを除き、全体として収容部３０の外側方向に突出した凸湾曲面２０ａ，３１ａを形成している。転倒しても起立状態に自動復帰することが可能となるように、キャンドルホルダー１０全体の重心位置は、台座部２０もしくは台座部２０から所要の高さの範囲内（Ｈ１＋Ｈ２の範囲内）に位置するように設定されている。【選択図】図１
0003221294.tif 000002
【実用新案登録請求の範囲】
【請求項１】
キャンドルを設置する台座部と、前記台座部から上方に延設された壁材で構成される収容部と、を備えたキャンドルホルダーであって、
前記台座部及び前記壁材の外側面は、載置面と接触する底面を除き、全体として前記収容部の外側方向に突出した凸湾曲面を形成し、
転倒しても起立状態に自動復帰することが可能となるように、キャンドルホルダー全体の重心位置は、前記台座部もしくは前記台座部から所要の高さの範囲内に位置するように設定されていることを特徴とするキャンドルホルダー。
【請求項２】
キャンドルに火を灯さないときに前記収容部の上部を覆う上蓋を備え、
前記凸湾曲面と前記上蓋の外側面が全体として側面視卵型のシルエットを有することを特徴とする請求項１に記載のキャンドルホルダー。
【考案の詳細な説明】
【技術分野】
【０００１】
本考案は、食卓、テーブル等の上に置いて使用するキャンドルホルダーに関するものである。
【背景技術】
【０００２】
従来、キャンドルホルダーは、デザイン性、装飾性が求められるほか、専ら利便性、安定性が重視され、その形状が決定されていた（特許文献１、２）。
【０００３】
例えば、特許文献１には、寸胴型のティーライトタイプと呼ばれるキャンドルであっても細長型のディナーキャンドルタイプであっても取り付け可能なように、ホルダー本体の底部に円筒形状の凹陥部を設けることで、利便性を高めたキャンドルホルダーが開示されている。
【０００４】
しかし、従来のキャンドルホルダーは、何かの弾みで簡単に倒れてしまうことがあり、使用者が転倒に気付かない場合や、気付くのが遅れた場合は、瞬く間に周囲に燃え広がって、火災が発生するおそれがあった。
【０００５】
この点に関し、特許文献２には、ろうそくの転倒による火災の発生を防止するために、ろうそくの下端とそれを支持する受体の上面の何れか一方に磁性体を、他方に永久磁石を取り付けることで、安全性を高めたろうそくの支持構造が提案されている。
【０００６】
しかし、永久磁石を用いたとしても、例えば地震等によって磁力を上回る強い揺れが発生した場合は、やはりキャンドルホルダーが転倒してしまう。そして、転倒している状態の時間が長ければ長い程、火災の危険性が高まることになる。
【先行技術文献】
【特許文献】
【０００７】
【特許文献１】実用新案登録第３１０９４１２号公報
【特許文献２】特開平９−６３３５３号公報
【考案の概要】
【考案が解決しようとする課題】
【０００８】
本考案が解決しようとする課題は、従来のキャンドルホルダーは、転倒を完全に防止することは難しい上、一旦転倒すると、転倒状態が継続してしまう点である。
【課題を解決するための手段】
【０００９】
本考案は、上記課題を解決するために、使用者が転倒していることに気が付かない場合でも、起立状態に自動的に復帰することが可能なキャンドルホルダーを提供することを目的としている。
【００１０】
本考案は、
キャンドルを設置する台座部と、前記台座部から上方に延設された壁材で構成される収容部と、を備えたキャンドルホルダーであって、
前記台座部及び前記壁材の外側面は、載置面と接触する底面を除き、全体として前記収容部の外側方向に突出した凸湾曲面を形成し、
転倒しても起立状態に自動復帰することが可能となるように、キャンドルホルダー全体の重心位置は、前記台座部もしくは前記台座部から所要の高さの範囲内に位置するように設定されていることを最も主要な特徴点としている。
【考案の効果】
【００１１】
本考案のキャンドルホルダーは、台座部と壁材で構成された収容部を備え、台座部及び壁材の外側面は、食卓、テーブル等の載置面と接触する底面を除き、全体として収容部の外側方向に突出しており、連続した滑らかな凸湾曲面を形成している。
【００１２】
加えて、本考案のキャンドルホルダーは、全体の重心の位置を、台座部もしくは台座部から所要の高さの範囲内に位置するように設定している。そのため、本考案のキャンドルホルダーが転倒した場合は、重心位置が上方にきて不安定な状態となり、重心位置が再び下方となるよう凸湾曲面を形成している部分が転動するので、底面が載置面と接触している通常の使用状態（起立状態）まで自動的に復帰することができる。
【００１３】
よって、本考案によれば、キャンドルホルダーが転倒しても、転倒状態が継続することはなく、速やかに起立状態に復帰することで、使用者が転倒に気付かないケースでも火災の危険性を低減できる。
【００１４】
更に言えば、本考案のキャンドルホルダーは、テーブル上で転倒しても、速やかに起立状態に復帰するので、テーブル上で転がり続けてテーブルから落下するケースも少なくなる。
【００１５】
よって、ガラス等の割れやすい材質でキャンドルホルダーを製作した場合でも、テーブルからの落下による破損を防止できる。
【図面の簡単な説明】
【００１６】
【図１】本考案のキャンドルホルダーの一例を示す縦断面図である。
【図２】（ａ）は上蓋を閉じた状態の縦断面図、（ｂ）は収容部と上蓋の嵌合部分の拡大図である。
【図３】台座部の上にキャンドルを設置した使用状態を示す図である。
【図４】上蓋を閉じた状態の本実施例のキャンドルホルダーの側面図である。
【図５】収容部の底面図である。
【図６】収容部の平面図である。
【図７】（ａ）は本考案のキャンドルホルダーが転倒した状態の図、（ｂ）は起立方向に約１５°回動した状態の図、（ｃ）は約７０°回動した状態の図、（ｄ）は起立状態に復帰した状態の図である。
【考案を実施するための最良の形態】
【００１７】
以下、本考案のキャンドルホルダーの実施例を図１〜図７を用いて説明する。
【実施例】
【００１８】
１０は、本実施例のキャンドルホルダーであり、内底面２１の中心部にキャンドルを設置する台座部２０と、台座部２０の周縁部から上方に延設され、キャンドルの周りを取り囲む壁材３１で構成された収容部３０とを備える。本実施例では、台座部２０、壁材３１の素材はガラスを使用している。
【００１９】
台座部２０の外側面２０ａ，２０ｂと壁材３１の外側面３１ａは、食卓、テーブル等の載置面と接触する底面２０ｂを除き、全体として収容部３０の外側方向に向けて突出した滑らかな凸湾曲面２０ａ，３１ａを形成している。
【００２０】
本実施例の凸湾曲面２０ａ，３１ａは、図１に示すとおり全体として卵型の形状の一部分を形成している。他の実施例としては、例えば、球面の一部分としても良い。
【００２１】
壁材３１は、その上端が円形に開口しており、上端から下方に向かって外径が順次大きくなり、中間高さ位置付近でその径は最大となる。そして、下端に向かってその外径は順次小さくなり、壁材３１の下端を閉じるように台座部２０が取り付けられている。
【００２２】
４０は、キャンドルに火を灯さないときに壁材３１の開口を覆う上蓋である。図２に示すように、上蓋４０の下端には、収容部３０に安定して載置できるように、壁材３１の開口の部分の内側面３１ｂと嵌合する凸部４１が周設されている。
【００２３】
キャンドルを使用する時は、図３に示すように、上蓋４０は取り外し、内底面２１の中心部に市販のアルミ容器入りのティーカップキャンドルＣの底面を両面テープＴにて固定の上、キャンドルを点灯する。両面テープＴの厚みは、例えば１〜２ｍｍである。
【００２４】
本実施例のキャンドルホルダー１０は、図４に示すように、使用しないときは、凸湾曲面２０ａ，３１ａと上蓋４０の外側面４０ａが、全体として側面視卵型の美しいシルエットを有するので、鑑賞用の置物としても使用できる。
【００２５】
図１、図２、図５、図６を参照して、本実施例におけるサイズの一例を説明すると、上蓋４０を載せた状態におけるキャンドルホルダー１０の高さは約１０８ｍｍ、台座部２０の高さは約１２ｍｍ、収容部３０の内底面２１から上蓋４０を外した開口までの高さは約６９ｍｍ、底面２０ｂの半径は約１０ｍｍである。
【００２６】
収容部３０の半径は、上蓋４０を外した開口付近で約３０ｍｍであり、下方に向かってその径は大きくなり、キャンドルホルダー４０の中間高さ位置付近で最大となるが、最大位置での半径は約４２ｍｍである。収容部３０の壁材３１ａの肉厚は、台座部２０付近から上端の開口に至るまで略一定の厚み（例えば２〜３ｍｍ）としている。
【００２７】
キャンドルホルダー１０は、転倒しても起立状態に自動復帰することが可能となるように、キャンドルホルダー１０全体の重心位置を、図１の符号Ｈ１で示す台座部２０の高さの範囲内もしくは符号Ｈ２で示す台座部２０から所要の高さの範囲内に位置するように設定している。本実施例では、Ｈ１は底面２０ｂから１２ｍｍの範囲、Ｈ２は１２ｍｍから２４ｍｍの範囲である。
【００２８】
キャンドルホルダー１０の全体の重心位置を、台座部２０もしくは台座部２０から所要の高さの範囲内（Ｈ１＋Ｈ２の範囲内）に位置するように設定するための手段の一例は、本実施例のように、壁材３１ａの肉厚を２〜３ｍｍ程度、台座部２０の厚みを少なくとも１０ｍｍ以上の肉厚とすれば良い。
【００２９】
壁材３１ａの肉厚を増やす必要があり、台座部の厚みを例えば１０ｍｍとしても起立状態への自動復帰が実現しない場合は、さらに台座部の厚みを増して、例えば２０ｍｍ程度とすれば良い。
【００３０】
キャンドルに火を灯して使用中にキャンドルホルダー１０が不用意に転倒した場合は、図７（ａ）に示すように、重心位置Ｐが上方にきて不安定な状態となる。そのため、図７（ｂ）乃至（ｃ）に示すように、重心位置が再び下方となるように凸湾曲面２０ａ，３１ａを形成している部分が転動する。そして、図７（ｄ）に示すように、底面２０ｂがテーブル等の載置面Ａと接触している通常の使用状態（起立状態）まで自動的に復帰することができる。
【００３１】
従って、キャンドルホルダー１０が転倒しても、転倒状態が継続することはなく、速やかに起立状態に復帰するので、使用者が転倒に気付かないケースでも火災の危険性を低減できる。
【００３２】
また、本考案は、転倒しても重心バランスで速やかに起立状態に復帰するので、テーブル等の載置面Ａ上で転がり続けることがなく、テーブルからの落下による破損のおそれも低減できる。従って、従来品より安全であり、停電時でも安心して使用することができるので、防災用としても活用できる。
【００３３】
また、本実施例のように、キャンドルホルダーの凸湾曲面２０ａ，３１ａ外形を卵型にした場合は、転倒時の衝撃が１点に集中することもないので、転倒時の破損のおそれも低減できる。
【００３４】
本考案は上記の例に限らず、各請求項に記載された技術的思想の範疇であれば、適宜実施の形態を変更しても良いことは言うまでもない。
【００３５】
例えば、上記実施例では、キャンドルホルダー全体の重心を所要位置に設定する手段として、台座部の厚みを増すことで必要な重量を確保する例を示したが、重心を所要位置に設定する手段はこれに限らない。例えば、台座部におもりの役目を果たす金属片を取り付けて台座部の重量を必要なだけ増やしても良い。
【００３６】
また、上記実施例では、底面２０ｂを円形とする例を示したが、底面２０ｂの形状は円に限るものではない。例えば、三角形、四角形、六角形、星形など、任意の形状であっても、本実施例と同様の起立状態への自動復帰効果が得られる。
【００３７】
本考案は、壁材３１の材質は特に限定されず、実施例で示したガラスのほか、金属、樹脂、陶器など、所望の素材を用いても良い。また、台座部２０及び壁材３１の外側面からなる凸湾曲面２０ａ，３１ａの具体的形状は、実施例に示したものに限らない。
【符号の説明】
【００３８】
１０  キャンドルホルダー
２０  台座部
２０ａ  台座部の外側面
２０ｂ  底面
３０  収容部
３１  壁材
３１ａ  壁材の外側面
２０ａ，３１ａ  凸湾曲面
４０  上蓋
Ｐ  重心位置
Ｈ１，Ｈ２  台座部もしくは台座部から所要の高さの範囲内
Ａ  載置面
【図１】
0003221294.tif 000003
【図２】
0003221294.tif 000004
【図３】
0003221294.tif 000005
【図４】
0003221294.tif 000006
【図５】
0003221294.tif 000007
【図６】
0003221294.tif 000008
【図７】
0003221294.tif 000009